(57)【要約】【課題】  照明カバーの取付けが容易で且つ上方への押し上げ力が作用しても外れない。【解決手段】  照明器具ボックス８をミラーキャビネット９の上面部に前方に突出するように載置する。ボックス本体４の下面開口部２の後端部に下側受け片１２を設ける。下側受け片１２の上面を前方に行くほど下となるように傾斜した案内面１３とする。ボックス本体４の下面開口部２の左右両端縁部に上側受け片１４を設ける。ボックス本体４の前面開口部１を照明カバー７の前面側カバー部１５で覆うと共に下面開口部２を下面側カバー部１６で覆う。前面側カバー部１５の上端部の係止突部１７をボックス本体４の前面開口部１の上端縁部付近の上係止部１１に係止する。下面側カバー部１６の後端部の下面を全長にわたって下側受け片１２上に載置して支持すると共に下面側カバー部１６の左右両端部の上面を前後方向にわたって上側受け片１４の下面に当接させる。【選択図】        図１
2006223485.tif 000002
【特許請求の範囲】
【請求項１】
前方に開口する前面開口部と下方に開口する下面開口部とが連続した左右方向に長い開口部を有するボックス本体内に直管型灯具を備えた左右方向に長い照明器具を取付けると共に開口部に着脱自在に照明カバーを取付けて照明器具ボックスを構成し、該照明器具ボックスをミラーキャビネットの上面部に載置して照明カバー部分をミラーキャビネットの前面よりも前方に突出させたものであって、上記ボックス本体の天板の下面の前面開口部の上端縁部付近に上係止部を設け、ボックス本体の下面開口部の後端部に左右方向にわたって下側受け片を設け、該下側受け片の上面を前方に行くほど下となるように傾斜した案内面とし、ボックス本体の両側板の下面開口部の左右両端縁部を構成する部分に前後方向にわたって下面開口部内に向けて突出する上側受け片を設け、該左右の上側受け片の突出先端を直管型灯具の左右両端部よりも左右の側板側にずらして位置させ、照明カバーを前面側カバー部の下端から背方に下面側カバー部を一体に連出して形成し、前面側カバー部の背面部の上端部に背方に向けて係止突部を突設し、ボックス本体の前面開口部を照明カバーの前面側カバー部で覆うと共に下面開口部を下面側カバー部で覆い、係止突部を上係止部に係止し、下面側カバー部の後端部の下面を全長にわたって下側受け片上に載置して支持すると共に下面側カバー部の左右両端部の上面を前後方向にわたって上側受け片の下面に当接させて成ることを特徴とする照明器具ボックス付きミラーキャビネット。
【請求項２】
照明カバーの前面側カバー部の上部を縦片よりなる上反射板部と、上反射板部の下部から背方に突出した横片よりなる光を透過させるための透光上横板部と、透光上横板部の背方端部から下方に垂設した縦片よりなる下反射板部とで構成し、下面側カバー部を横片よりなる光を透光させるための透光下横板部で構成して成ることを特徴とする請求項１記載の照明器具ボックス付きミラーキャビネット。
【発明の詳細な説明】
【技術分野】
【０００１】
本発明は、照明器具ボックス付きミラーキャビネットに関するものである。
【背景技術】
【０００２】
従来から照明器具付きミラーキャビネットとして特許文献１に示されるものが知られている。この特許文献１に示された従来例にあっては、ミラーキャビネットの上部に照明器具を取付け、この照明器具に断面略「フ」字状をした照明カバーの上下両端部を上下の係止部に着脱自在に取付けていた。この従来例にあっては、照明器具の光は断面略「フ」字状をした照明カバーの上横片及び傾斜した前面片から外部に出るようになっており、傾斜した前面片から出た一部の光がミラーを照射して、ミラーを見ながら化粧を行えるようにしている。
【０００３】
しかしながら、上記従来例にあっては、ミラーキャビネットの一部として照明器具、照明カバーを組み込むものであるから、ミラーキャビネットのサイズや形状の異なるものの場合にはそれに対応した照明器具、照明カバーが必要であるという問題があった。また、上記従来例にあっては、照明カバーの傾斜片に下方からの押し上げ力が作用すると照明カバーの上横片の突出部分の上面を支持するものがないと共に、傾斜片を裏側から（つまり上面を）支持するものがないので、簡単に係止が外れて照明カバーが落下してしまうという問題がある。
【０００４】
また、ミラーキャビネットの上部にミラーキャビネットとは別体の照明器具ボックスを取付け、該照明器具ボックスの前面側に断面略コ字状をした照明カバーを配置して照明カバーの後端部の上下両端部に設けた係止部を照明器具ボックスの上下に着脱自在に係止し、該照明カバーをミラーキャビネットの前面よりも前方に突出するように構成し、断面略コ字状をした照明カバーの下横片から出た光の一部がミラーを照射して、ミラーを見ながら化粧を行えるようにしたものが特許文献２により知られている。
【０００５】
この特許文献２に示される従来例にあっては、ミラーキャビネットと照明器具ボックスとが別体であるので、ミラーキャビネットのサイズが異なっても共通の照明器具ボックスをミラーキャビネットの上面部に載置して取付けることで対応できるという効果を有している。
【０００６】
しかしながら、この従来例においても、照明カバーの下横片に下方からの押し上げ力が作用すると照明カバーの上横片の突出部分の上面を支持するものがないと共に、下横片を裏側から（つまり上面を）支持するものがないので、簡単に係止が外れて照明カバーが落下してしまうという問題がある。
【０００７】
また、上記したいずれの従来例においても、断面「フ」字状をした照明カバーの全面又は断面略コ字状をした照明カバーの全面から光が外部に出るようになっており、ミラーキャビネットのミラー付近を集中して明るくするようになっておらず、ミラーを見ながら化粧をするに当たって、十分な明るさが得にくいという問題がある。
【特許文献１】実開平６−６４３１７号公報
【特許文献２】特開２００２−３１５６８６号公報
【発明の開示】
【発明が解決しようとする課題】
【０００８】
本発明は上記の従来の問題点に鑑みて発明したものであって、ミラーキャビネットの前面を効果的に照らすことができるようにしたものにおいて照明カバーの取付けが容易に行えると共に、照明カバーの下面側カバー部を上方に押し上げるような外力が作用しても照明カバーが外れないようにできる照明器具ボックス付きミラーキャビネットを提供することを課題とするものである。
【課題を解決するための手段】
【０００９】
上記課題を解決するために本発明に係る照明器具ボックス付きミラーキャビネットは、前方に開口する前面開口部１と下方に開口する下面開口部２とが連続した左右方向に長い開口部３を有するボックス本体４内に直管型灯具５を備えた左右方向に長い照明器具６を取付けると共に開口部３に着脱自在に照明カバー７を取付けて照明器具ボックス８を構成し、該照明器具ボックス８をミラーキャビネット９の上面部に載置して照明カバー７部分をミラーキャビネット９の前面よりも前方に突出させたものであって、上記ボックス本体４の天板１０の下面の前面開口部１の上端縁部付近に上係止部１１を設け、ボックス本体４の下面開口部２の後端部に左右方向にわたって下側受け片１２を設け、該下側受け片１２の上面を前方に行くほど下となるように傾斜した案内面１３とし、ボックス本体４の両側板３９の下面開口部２の左右両端縁部を構成する部分に前後方向にわたって下面開口部２内に向けて突出する上側受け片１４を設け、該左右の上側受け片１４の突出先端を直管型灯具５の左右両端部よりも左右の側板３９側にずらして位置させ、照明カバー７を前面側カバー部１５の下端から背方に下面側カバー部１６を一体に連出して構成し、前面側カバー部１５の背面部の上端部に背方に向けて係止突部１７を突設し、ボックス本体４の前面開口部１を照明カバー７の前面側カバー部１５で覆うと共に下面開口部２を下面側カバー部１６で覆い、係止突部を上係止部１１に係止し、下面側カバー部１６の後端部の下面を全長にわたって下側受け片１２上に載置して支持すると共に下面側カバー部１６の左右両端部の上面を前後方向にわたって上側受け片１４の下面に当接させて成ることを特徴とするものである。
【００１０】
上記のようにミラーキャビネット９の上面部に別体の照明器具ボックス８を載置して照明カバー７部分をミラーキャビネット９の前面よりも前方に突出させるので、ミラーキャビネット９のサイズが異なっても、別体の照明器具ボックス８をミラーキャビネット９の上面部に載置して取付けるだけでミラーキャビネット９の前面付近を効果的に照明できる。しかも、ミラーキャビネット９の前面付近を照明するために照明カバー７部分をミラーキャビネット９の前面よりも前方に突出させたにもかかわらず、下面側カバー部１６の左右両端部の上面を前後方向にわたって上側受け片１４の下面に当接させてあるので、下面側カバー部１６に下方から上方に押し上げる外力が作用しても上側受け片１４により支持して浮き上がりを防止できるものであり、しかも、左右の上側受け片１４の突出先端を直管型灯具５の左右両端部よりも左右の側板３９側にずらして位置させてあるので、上記下面側カバー部１６の上方への浮き上がりを防止するための上側受け片１４が直管型灯具５からの光の照射に当たっての障害物にならず、影ができたりしない。また、照明カバー７の取付けに当たっては、前面側カバー部１５の上端部の係止突部１７をボックス本体４の天板１０の下面の前面開口部１の上端縁部付近に設けた上係止部１１に係止すると共に、下面側カバー部１６の後端部を案内面１３をガイドとして下側受け片１２上に載置して支持すると共に上側受け片１４の下面に当接させることで簡単に取付けることができる。
【００１１】
また、照明カバー７の前面側カバー部１５の上部を縦片よりなる上反射板部１９と、上反射板部１９の下部から背方に突出した横片よりなる光を透過させるための透光上横板部２０と、透光上横板部２０の背方端部から下方に垂設した縦片よりなる下反射板部２１とで構成し、下面側カバー部１６を横片よりなる光を透光させるための透光下横板部２２で構成することが好ましい。
【００１２】
このような構成とすることで、直管型灯具５からの光が上反射板部１９、下反射板部２１に反射されて透光上横板部２０、透光下横板部２２から下方に照射され、ミラーキャビネット９の前面側を集中して効果的に明るくすることができてミラーキャビネット９を利用しての化粧等が行い易いものである。しかも、下方への光の照射は透光上横板部２０、透光下横板部２２の前後且つ上下にずれた２箇所から行われるもので、透光下横板部２２から下方に照射した光でミラーキャビネット９の前面（つまりミラーキャビネット９の前面に設けたミラー）を効果的に照射し、透光上横板部２０から下方に照射した光でミラーキャビネット９の前方位置（つまりミラーキャビネット９を利用する利用者の立つ位置）を効果的に照射することができる。
【発明の効果】
【００１３】
本発明は、ミラーキャビネットの前面を効果的に照らすことができ、照明カバーの取付けが容易に行え、また、照明カバーの下面側カバー部を上方に押し上げるような外力が作用しても照明カバーが外れるのを防止できる。
【発明を実施するための最良の形態】
【００１４】
以下、本発明を添付図面に示す実施形態に基いて説明する。
【００１５】
本発明に用いる照明器具ボックス８は、図４、図５に示すようなもので、ボックス本体４と、ボックス本体４の内部に配置して取付けられる照明器具６と、ボックス本体４の開口部３に着脱自在に取付けられる照明カバー７とで構成してある。
【００１６】
ボックス本体４は例えば金属板により形成してあり、天板１０、左右の側板３９、背板２３を有した左右方向に長い箱形状をしている。該ボックス本体４の前面は前方に開口する左右方向に長い前面開口部１となり、ボックス本体４の下面は上記前面開口部１と連続した下方に開口する左右方向に長い下面開口部２となっており、この前方に開口する前面開口部１とこれに連続する下方に開口する下面開口部２とで左右方向に長い開口部３が構成してある。
【００１７】
ボックス本体４の天板１０の下面の前面開口部１の上端縁部付近にはカバー取付け金具２４が取付けてあり、該カバー取付け金具２４に上係止部１１が設けてある。
【００１８】
側板３９の前端部は図４、図６に示すように段状となっており、側板３９の前端部の上部よりも下方の部分が後方に段落した段部２５となっており、側板３９の下端の後端部に上記段部２５の下端よりも大きく後方に段落した下段部２６が設けてある。段部２５の下端縁には該下端縁の前端から下段部２６の上端にわたって前後方向に長い上側受け片１４がボックス本体４内に向けて側板３９に対して直角に突設してある。つまりこの側板３９から突設した左右の上側受け片１４は下面開口部２の左右両端縁部を構成する部分に前後方向にわたって形成されることになる。
【００１９】
背板２３の下端縁部から前方に向けて水平な下面板３７を前方に突出させ、該下面板３７の前端からく字状に突設したく字状片部２７が一体に連出してあり、く字状片部２７の上側の片が後端が自由端となった下側受け片１２となっており、この下側受け片１２は上面が前方に行くほど下となるように傾斜した案内面１３となっている。
【００２０】
背板２３には固定金具取付け孔３４が設けてあり、背板２３の下部にＬ状をした固定金具３５の縦片を当接して上記固定金具取付け孔３４を利用してねじ具により固定金具３５を固定してある。また背板２３には壁面固定用孔３０も設けてある。
【００２１】
ボックス本体４内には照明器具６を配置し、照明器具６の左右方向に長い基板３１の両端部を背板２３に固定ねじ３２により固定してある。壁面固定用孔３０の前方に対応した基板３１の部位には窓部３３が設けてあって、ボックス本体４を壁に取付けるような場合に、ドライバー等をこの窓部３３から挿入して壁面固定用孔３０にねじを挿入してねじ締め作業をして壁に固定することが可能なようになっている。基板３１の左右方向の両端部にはソケット部３６が設けてあり、左右のソケット部３６間に直管型灯具５が着脱自在に取付けてある。ここで左右の上側受け片１４の突出先端は直管型灯具５の左右両端部（左右のソケット部３６）よりも左右の側板３９側にずらして位置させてある。
【００２２】
照明カバー７は図７に示すようなもので、照明カバー７を前面側カバー部１５の下端から背方に下面側カバー部１６を一体に連出して構成してある。
【００２３】
前面側カバー部１５は上部が縦片よりなるシルバー色をした上反射板部１９となり、該上反射板部１９の下部から背方に横片よりなる光を透過させるための透光上横板部２０が一体に突出し、該透光上横板部２０の背方端部から下方に縦片よりなるシルバー色をした下反射板部２１を一体に垂設して構成してあり、この前面側カバー部１５の下部から背方に横片よりなる光を透光させるための透光下横板部２２よりなる下面側カバー部１６が一体に突設してある。上記透光上横板部２０、透光下横板部２２はいずれも光を通すようになっているが、実施形態では片面又は両面がスリガラス調となるように微細な凹凸がある粗面となっている。
【００２４】
また、前面側カバー部１５の上反射板部１９の上端部には背方に向けて係止突部１７を一体に突設してあり、この係止突部１７の左右方向の長さはボックス本体４の左右両側板３９間の長さと略等しい長さとなっている。
【００２５】
照明カバー７は、ボックス本体４の開口部３を覆うように取付けられるのであるが、取付けに当たっては、係止突部１７を上係止部１１に係止し、下面側カバー部１６の後端部を案内面１３をガイドとして下側受け片１２上に載置して支持すると共に下面側カバー部１６の左右両端部の上面を前後方向にわたって上側受け片１４の下面に当接させる。これによりボックス本体４の前面開口部１が照明カバー７の前面側カバー部１５で覆われ、下面開口部２が下面側カバー部１６で覆われる。
【００２６】
上記の構成の照明器具ボックス８は図１のように、前面にミラー９ａを備えたミラーキャビネット９の上面部に照明器具ボックス８の下面板３７を載置すると共に照明器具ボックス８の照明カバー７部分をミラーキャビネット９の前面よりも前方に突出させ、この状態で背板２３に固定した固定金具３５の下横片をミラーキャビネット９の上面部に固着具により固着するものである。図１において４０は壁を示す。
【００２７】
ここで、上記のように照明器具ボックス８はミラーキャビネット９の上面の左右方向と同じ長さである必要はなく、照明器具ボックス８とミラーキャビネット９とが別体であるため、図２のように照明器具ボックス８の上面部の左右方向の任意の長さだけ照明器具ボックス８が設けてあるような取付けが可能となり、これにより、ミラーキャビネット９のサイズ（例えば左右方向の長さ）が異なっても対応できるものである。
【００２８】
直管型灯具５に点灯すると、直管型灯具５からの光が直接透光上横板部２０、透光下横板部２２から下方に照射されるだけでなく、照明カバー７内において上反射板部１９、下反射板部２１に反射された光も透光上横板部２０、透光下横板部２２から下方に照射され、このようにして照明カバー７を介して下方に向けて集中して光を照射する。この場合、下方への光の照射は透光上横板部２０、透光下横板部２２の前後且つ上下にずれた２箇所から行われるもので、透光下横板部２２から下方に照射した光でミラーキャビネット９の前面（つまりミラーキャビネット９の前面に設けたミラー）を効果的に照射し、透光上横板部２０から下方に照射した光でミラーキャビネット９の前方位置（つまりミラーキャビネット９を利用する利用者の立つ位置）を効果的に照射することになり、ミラーキャビネット９を利用しての化粧等が行い易くなる。
【００２９】
上記のように照明カバー７をミラーキャビネット９の前面よりも前方に突出させて照明カバー７から下方に向けて光を照射することで、ミラーキャビネット９の前方位置を効果的に明るく照らすようにしているのであるが、このようにミラーキャビネット９の前方位置を効果的に照明するため照明カバー７をミラーキャビネット９の前面よりも前方に突出させると、照明カバー７が突出しているという構造のため照明カバー７に下方から上方に突き上げるような外力が作用して、照明カバー７が浮き上がって外れる恐れがある。そこで本発明においては、前述のように、下面側カバー部１６の左右両端部の上面を前後方向にわたって上側受け片１４の下面に当接させてあるので、下面側カバー部１６に下方から上方に押し上げる外力が作用しても上側受け片１４により支持して浮き上がりを防止できることになる。ここで、左右の上側受け片１４の突出先端を直管型灯具５の左右両端部よりも左右の側板３９側にずらして位置させてあるので、上記下面側カバー部１６の上方への浮き上がりを防止するために下面側カバー部１６の左右両端部を前後の全長にわたって支持するための上側受け片１４が直管型灯具５からの光の照射範囲を外れた位置にあり、このため、上側受け片１４が直管型灯具５から照射するに当たっての障害物にならず、影ができたりせず、直管型灯具５からの光を下面側カバー部１６を介して下方に効果的に照射できることになる。
【００３０】
なお、本発明に使用した照明器具ボックス８は壁４０に直接取付けることもできる。壁４０に取付ける使用形態においては、照明器具ボックス８から固定金具３５を外し、照明器具ボックス８の背板２３を壁４０に当接し、壁面固定用孔３０を利用してねじのような固着具を挿入して壁４０に取付ける。この場合、壁４０にはミラーを取付け、ミラーの上方位置に照明器具ボックス８が位置するようにし、前述と同様にしてミラーの前方位置を照明器具ボックス８に設けた直管型灯具５により照明するようにするのが好ましい。
【図面の簡単な説明】
【００３１】
【図１】本発明の一実施形態の側面図である。
【図２】同上の正面図である。
【図３】同上の要部拡大断面図である。
【図４】本発明に用いる照明器具ボックスを示す断面図である。
【図５】（ａ）は同上の照明器具ボックスの一部省略正面図であり、（ｂ）は一部省略下面である。
【図６】同上の照明器具ボックスの要部斜視図である。
【図７】同上に用いる照明カバーを示し、（ａ）は断面図であり、（ｂ）は平面図であり、（ｃ）は背面図であり、（ｄ）は底面図である。
【符号の説明】
【００３２】
１  前面開口部
２  下面開口部
３  開口部
４  ボックス本体
５  直管型灯具
６  照明器具
７  照明カバー
８  照明器具ボックス
９  ミラーキャビネット
１０  天板
１１  上係止部
１２  下側受け片
１３  案内面
１４  上側受け片
１５  前面側カバー部
１６  下面側カバー部
１７  係止突部
【図１】
2006223485.tif 000003
【図２】
2006223485.tif 000004
【図３】
2006223485.tif 000005
【図４】
2006223485.tif 000006
【図５】
2006223485.tif 000007
【図６】
2006223485.tif 000008
【図７】
2006223485.tif 000009